(57)【要約】【課題】変化性のある発光効果を発揮できる照明装置を提供する。【解決手段】発光手段２２と、入力操作を受け付けるインターフェイス３１を有し該入力操作に対応して予め設定された複数の識別コードの中から１つを選択する設定手段３と、各識別コード及び設定手段３の前記入力操作による識別コードの選択結果を記憶する記憶手段４と、信号を受信する受信手段６と、受信手段６が受信した信号を前記識別コードの選択結果と照合し、受信した信号と前記識別コードの選択結果とが一致する際に、発光手段２２を発光させるように制御する制御手段５と、を備えている。【選択図】図１
0003214249.tif 000002
【実用新案登録請求の範囲】
【請求項１】
発光手段と、
入力操作を受け付けるインターフェイスを有し該入力操作に対応して予め設定された複数の識別コードの中から１つを選択する設定手段と、
前記各識別コード及び前記設定手段の前記入力操作による識別コードの選択結果を記憶する記憶手段と、
信号を受信する受信手段と、
前記受信手段が受信した信号を前記識別コードの選択結果と照合し、受信した信号と前記識別コードの選択結果とが一致する際に、前記発光手段を発光させるように制御する制御手段と、
を備えていることを特徴とする照明装置。
【請求項２】
前記設定手段の前記インターフェイスとしては、前記複数の識別コードの数に対応するスライドスイッチを有するディップスイッチユニットが使用されていることを特徴とする請求項１に記載の照明装置。
【請求項３】
前記設定手段の前記インターフェイスとしては、ボタンとレバーとツマミのいずれか１つが使用されていることを特徴とする請求項１に記載の照明装置。
【請求項４】
前記設定手段が配置されている手持ち部と、前記手持ち部に接続されて且つ前記発光手段が配置されている発光部とを更に備えていることを特徴とする請求項１〜請求項３のいずれか一項に記載の照明装置。
【請求項５】
前記発光手段が作動するのに必要な電気を提供する電源手段を更に備え、且つ、該電源手段にはオンとオフを切り替えるための電源スイッチが前記手持ち部に配置されていることを特徴とする請求項４に記載の照明装置。
【考案の詳細な説明】
【技術分野】
【０００１】
本考案は照明装置に関し、特に演奏会などで使用される照明装置に関する。
【背景技術】
【０００２】
演奏会などで場を盛り上げるために使用される従来の照明装置としては、例えば下記の特許文献に記載されたものが挙げられる。該照明装置は、発光ダイオード（ＬＥＤ）が搭載され、単一または複数種類の色の光を発することができ、そして連続して発光や点滅などの発光機能を具えているライトスティックである。更に、該照明装置は、対応するコントローラが送信した信号を受信して、その信号に応じて上記の発光機能を発揮できるように構成されている。
【０００３】
この構造によれば、演奏会において、複数のライトスティックである該照明装置を複数の観客に配り、そしてオペレータが会場に設置された前記コントローラを操作して信号を送信すると、前記観客が持っている各前記ライトスティックがその信号を受信して、該信号に応じて同時に同じ色で連続して発光し、または点滅するので、統一性がある発光効果をもたらし、演奏会の会場全体の雰囲気を盛り上げることができる。
【先行技術文献】
【特許文献】
【０００４】
【特許文献１】台湾実用新案登録第Ｍ５３０００６号
【考案の概要】
【考案が解決しようとする課題】
【０００５】
しかしながら、該照明装置は、全ての前記ライトスティックが、単に前記コントローラからの信号を受信して同時に同じ発光機能を行うだけなので、発光効果のバラエテイについてはまだ改善の余地がある。
【０００６】
上記問題点に鑑みて、本考案は、より変化性のある発光効果を発揮できる照明装置の提供を目的とする。
【課題を解決するための手段】
【０００７】
上記目的を達成すべく、本考案の照明装置は、発光手段と、入力操作を受け付けるインターフェイスを有し該入力操作に対応して予め設定された複数の識別コードの中から１つを選択する設定手段と、前記各識別コード及び前記設定手段の前記入力操作による識別コードの選択結果を記憶する記憶手段と、信号を受信する受信手段と、前記受信手段が受信した信号を前記識別コードの選択結果と照合し、受信した信号と前記識別コードの選択結果とが一致する際に、前記発光手段を発光させるように制御する制御手段と、を備えていることを特徴とする照明装置である。
【考案の効果】
【０００８】
上記構成によれば、本考案の照明装置は、入力操作に対応して予め設定された複数の識別コードの中から１つを選択する設定手段と、前記各識別コード及び前記設定手段の前記入力操作による識別コードの選択結果を記憶する記憶手段と、受信した特定の信号を前記識別コードの選択結果と照合し、受信した信号と前記識別コードの選択結果とが一致する際に、前記発光手段を発光させるように制御する制御手段と、を備えている。このため、複数の本考案の照明装置に対して、異なる識別コードを選択して記憶させるよう操作し、そして対応する識別コードが含まれた信号を送信すると、該各照明装置を前記識別コードの選択結果によって別々に発光させて、変化性のある発光効果を発揮することができる。
【図面の簡単な説明】
【０００９】
【図１】本考案の照明装置の実施形態及びコントローラが示されている説明図である。
【図２】本考案の照明装置及びコントローラとの制御関係が示されているブロック図である。
【考案を実施するための形態】
【００１０】
以下、図１と図２を参照しながら、本考案の照明装置を例示する実施形態について詳しく説明する。図１は本考案の照明装置の実施形態及びコントローラが示されている説明図である。そして、図２は本考案の照明装置及びコントローラとの制御関係が示されているブロック図である。
【００１１】
図示のように、本考案の本実施形態における照明装置８は、コントローラ１が発する信号に対応して発光でき、且つ手で持ち易いライトバトンに作成されている。
【００１２】
図１に示めされるように、本実施形態を例示するコントローラ１は、演奏会の会場に配置され、会場の照明機能や音楽放送などを制御するためのもので、入力操作を受け付けるためのボタンやレバーなどの制御部材１１が設けられている。更に、コントローラ１は、２．４ＧＨｚ帯、９２０ＭＨｚ帯、４３３ＭＨｚ帯などの周波数で通信可能な無線送信モジュール、もしくは赤外線送信機などが搭載されており、制御部材１１に対する入力操作によって所定の制御コードが含まれた無線の信号を発することができる。
【００１３】
本考案の本実施形態における照明装置８は、筐体２１を備えている。この筐体２１は、手持ち部２１１と、手持ち部２１１に接続されて且つ発光手段２２が配置されている発光部２１２と、を有する。また、筐体２１の手持ち部２１１には、設定手段３と、記憶手段４と、受信手段６と、制御手段５と、電源手段２３と、操作説明手段７が配置されている。
【００１４】
また、筐体２１の手持ち部２１１は、手で持ち易くするため柄状に形成されている。一方、発光部２１２は、中空のダイヤモンドボールのような形状で且つ透明に形成され、そして発光手段２２を覆うように手持ち部２１１の一端（図１における上側）に接続されている。
【００１５】
本実施形態の発光手段２２としては、例えば発光ダイオード（ＬＥＤ）などが使用されている。また、発光手段２２は、筐体２１の発光部２１２に覆われるよう手持ち部２１１の前記一端に配置されている。更に、発光手段２２が発する光は、ダイヤモンドボールの形状の発光部２１２の壁面を通過すると共に、屈折や発散などが生じて鮮やかな発光効果をもたらすことができる。無論、筐体２１は本実施形態に限定されず、例えば棒状のライトスティックなど様々な形状に適宜変更されることも可能である。
【００１６】
一方、本実施形態の電源手段２３としては、発光手段２２が発光し作動するのに必要な電気を提供するため、筐体２１の手持ち部２１１の内部に配置されて該発光手段２２と電気的に接続している電池（図示せず）などが使用されている。更に、該電源手段２３には、前記電気の提供のオンとオフを切り替えるための電源スイッチ２３１が手持ち部２１１の外部に配置されている。
【００１７】
設定手段３は、入力操作を受け付けるために筐体２１の手持ち部２１１の外部に配置されるインターフェイス３１を有し、そして該入力操作に対応して予め記憶手段４に設定された複数の識別コードの中から１つを選択するように構成されている。本実施形態におけるインターフェイス３１としては、前記複数の識別コードの数に対応するスライドスイッチ３１１を有するディップスイッチユニットが使用されている。
【００１８】
また、本実施形態におけるスライドスイッチ３１１は、手持ち部２１１の外部に９つ配置されており、そしてそれぞれ１〜９のコードナンバーを選択できるように構成されている。これによって設定手段３は、９つのコードナンバーが含まれた識別コードを選択し設定することができる。無論、インターフェイス３１としては、ディップスイッチユニットの他、押した回数でコードナンバーを選択するボタン、倒した方向でコードナンバーを選択するレバー、または回した位置でコードナンバーを選択するツマミなどが使用されるように適宜変更することもできる。
【００１９】
本実施形態における記憶手段４は、筐体２１の手持ち部２１１の内部に配置されて設定手段３と電気的に接続し、そして前記各識別コード、及び、設定手段３の入力操作による識別コードの選択結果を記憶するように構成されている。
【００２０】
本実施形態における受信手段６は、コントローラ１が発する信号を受信するために筐体２１の手持ち部２１１に配置されている。また、本実施形態における受信手段６としては、コントローラ１から無線の信号に対応して、２．４ＧＨｚ帯、９２０ＭＨｚ帯、または４３３ＭＨｚ帯などの周波数で通信可能な無線受信モジュール、もしくは赤外線受信機が使用されている。
【００２１】
本実施形態における制御手段５としては、コンパレータ機能を有するＩＣチップが使用されており、筐体２１の手持ち部２１１の内部に配置されて、そして図２に示されるように、発光手段２２と、設定手段３と、記憶手段４と、受信手段６と電気的に接続している。これによって制御手段５は、受信手段６がコントローラ１から受信した信号を記憶手段４が記憶している識別コードの選択結果と照合し、受信した信号に含まれた制御コードと該識別コードの選択結果とが一致する際に、発光手段２２を発光させるように制御することができる。
【００２２】
また、図１に示されたように、本実施形態における操作説明手段７としては、設定手段３の取り扱い方を説明するため、筐体２１の手持ち部２１１の外部に貼り付けられたシールが使用されている。
【００２３】
続いて、本考案の本実施形態における照明装置８の取り扱い方について説明する。本考案の本実施形態における照明装置８を演奏会などに使用する場合には、例えば、まず一部の照明装置８Ａには“識別コードが２２２２２５５５５”の情報が表示された操作説明手段７Ａを貼り付け、他の一部の照明装置８Ｂには“識別コードが３３３３３６６６６”の情報が表示された操作説明手段７Ｂを貼り付けるように手配してから、各照明装置８を観客に配る。
【００２４】
その後、照明装置８Ａを持っている観客には、電源スイッチ２３１をオンにして、そしてそれらの操作説明手段７Ａが表示する識別コード情報通り、照明装置８Ａの設定手段３を操作させて、２２２２２５５５５の識別コードを選択して設定する。一方、照明装置８Ｂを持っている観客には、電源スイッチ２３１をオンにして、そしてそれらの操作説明手段７Ｂが表示する識別コードの情報通り、照明装置８Ｂの設定手段３を操作させて、３３３３３６６６６の識別コードを選択して設定する
【００２５】
それから、オペレータが該演奏会の会場に設置されたコントローラ１を操作して２２２２２５５５５の制御コードが含まれた信号を送信すると、一部の観客が持っている各照明装置８Ａの制御手段５は、記憶手段４に記憶された識別コードの選択結果が該信号に含まれた制御コードと一致することを判断し、発光手段２２を発光させる。一方、照明装置８Ｂを含む他の照明装置８は、識別コードの選択結果が該制御コードと一致しないために発光しない。
【００２６】
更に、オペレータがコントローラ１を操作して３３３３３６６６６の制御コードが含まれた信号を送信すると、他の一部の観客が持っている照明装置８Ｂの制御手段５は、記憶手段４に記憶された識別コードの選択結果と、受信した信号に含まれる制御コードが一致することを判断し、発光手段２２を発光させることができる。これによって、各照明装置８の発光を識別コードの選択結果によって別々に制御することが可能になり、変化性のある発光効果をもたらすことができる。
【００２７】
また、本考案の照明装置は、発光手段２２が発する光の色を変更し、発光手段２２に連続して発光させ、または発光手段２２に点滅させるなどの発光機能を調節できるよう、ＬＥＤや発光機能を切り替えるためのスイッチを増設して作成されることも可能である。その場合には、例えばコントローラ１から複数の制御コードが含まれた信号を送信して、異なる識別コードの選択結果と異なる上記の発光機能が設定された各照明装置８を、異なる色で発光し、また一部が連続して発光し、他の一部が点滅するよう制御し、異なる発光効果を同時に行えるので、より変化性のある発光効果をもたらすことができる。
【００２８】
ちなみに、本考案の照明装置は、上記の取り扱い方の他、例えば、識別コードの情報が表示された操作説明手段７を各照明装置８に付けるのではなく、観客の入場券に添えて、会場の従業員に入場券を確認させて照明装置８の設定手段３を操作して、対応する観客席のエリアの識別コードを設定してから、該識別コードが設定された照明装置８を観客に渡す。または、予めエリアの識別コードが設定された照明装置８を対応する観客席に配置するよう手配しても良い。そうすると、オペレータはコントローラ１で、各照明装置８の発光機能を観客席のエリア別で制御し、整えた発光効果を発揮することができる。
【００２９】
上記の実施形態によれば、本考案の照明装置は、入力操作に対応して予め設定された複数の識別コードの中から１つを選択する設定手段３と、前記各識別コード及び設定手段３の前記入力操作による識別コードの選択結果を記憶する記憶手段４と、コントローラ１から受信した信号に含まれる制御コードと前記識別コードの選択結果とを照合し、受信した信号に含まれる制御コードと記憶手段４に記憶された前記識別コードの選択結果とが一致する際に、発光手段２２を発光させるように制御する制御手段５と、を備えている。
【００３０】
このため、複数の照明装置８に対して、異なる識別コードを選択して記憶させるよう操作し、そしてコントローラ１から対応する制御コードが含まれた信号を送信すると、各照明装置８を識別コードの選択結果によって別々に発光させるよう制御し、変化性のある発光効果を発揮することができる。
【００３１】
以上、本考案の好ましい実施形態を説明したが、本考案はこれに限定されるものではなく、その要旨を逸脱しない範囲で種々変更可能である。
【産業上の利用可能性】
【００３２】
上記構成によれば、本考案の照明装置は、識別コードの選択結果によって別々に発光機能を制御できるので、演奏会などの娯楽事業での使用に限られず、一種の光学通信、伝達手段、または識別手段として応用されることもできる。
【符号の説明】
【００３３】
１  コントローラ
１１  制御部材
２１  筐体
２１１  手持ち部
２１２  発光部
２２  発光手段
２３  電源手段
２３１  電源スイッチ
３  設定手段
３１  インターフェイス
３１１  スライドスイッチ
４  記憶手段
５  制御手段
６  受信手段
７、７Ａ、７Ｂ  操作説明手段
８、８Ａ、８Ｂ  照明装置
【図１】
0003214249.tif 000003
【図２】
0003214249.tif 000004